(57)【要約】【課題】ケーブルや押え金具によるスイッチの上下移動範囲の制限をなくすことができ、スイッチの取付位置の設定や調整を容易かつ広範囲に行うことができるエレベータの位置検出装置を提供する。【解決手段】建物の昇降路の上端部及び下端部には、それぞれ位置検出装置１が設けられている。位置検出装置１は、スイッチ取付部材２、複数のスイッチ３Ａ，３Ｂ、複数のボルト４Ａ，４Ｂ、複数の絶縁部材５Ｗ〜５Ｚ、複数の導電部材６Ｗ〜６Ｚ、複数の電極ピン、スイッチ側コネクタ８、及び複数のプラグ９Ｕ〜９Ｚを有している。スイッチ３Ａは、ボルト４Ａを摺動軸として長孔２ｃの内周面に沿って摺動可能である。スイッチ３Ａの摺動に伴って、電極ピンのそれぞれは、導電部材６Ｗ，６Ｚのそれぞれと接触した状態で、導電部材６Ｗ，６Ｚのそれぞれに沿って摺動される。【選択図】図１
2012046288.tif 000002
【特許請求の範囲】
【請求項１】
昇降体の昇降方向に沿って昇降路に配置され、前記昇降体の昇降方向に沿って摺動案内部が設けられたスイッチ取付部材と、
前記昇降体の昇降方向に沿って前記スイッチ取付部材に設けられ、かつ前記摺動案内部に対して平行になるように配置され外部機器に電気的に接続された一対の導電部材と、
前記スイッチ取付部材の前記摺動案内部に摺動可能に取り付けられ、前記昇降体によって操作されるスイッチと、
前記スイッチに設けられ、前記スイッチの摺動に伴って、前記一対の導電部材のそれぞれと接した状態で前記一対の導電部材のそれぞれに沿って摺動可能であり、前記スイッチと前記一対の導電部材とを電気的に接続する一対の電極部材と
を備えることを特徴とするエレベータの位置検出装置。
【請求項２】
前記摺動案内部は、前記スイッチ取付部材の上端部及び下端部の間で連続して設けられた長孔であり、
前記一対の導電部材は、前記スイッチ取付部材の上端部及び下端部の間で連続して設けられ、
前記スイッチは、前記長孔に挿通されたボルトによって前記スイッチ取付部材に取り付けられ、前記ボルトを摺動軸として前記長孔に沿って摺動可能である
ことを特徴とする請求項１記載のエレベータの位置検出装置。
【請求項３】
前記スイッチは、前記昇降体の昇降方向に並べられて複数設けられ、
前記一対の導電部材、及び前記一対の電極部材は、それぞれ前記スイッチの数と同数組設けられている
ことを特徴とする請求項１又は請求項２に記載のエレベータの位置検出装置。
【請求項４】
前記スイッチの入力側及び出力側のいずれか一方における互いに異なる組に属する前記導電部材同士を短絡する短絡手段
をさらに備えることを特徴とする請求項３記載のエレベータの位置検出装置。
【発明の詳細な説明】
【技術分野】
【０００１】
この発明は、かご等の昇降体の位置を検出するためのエレベータの位置検出装置に関する。
【背景技術】
【０００２】
例えば、特許文献１に示すような従来装置では、かごの昇降行程の最上部及び最下部にそれぞれ位置検出装置としての終点スイッチが設けられている。この終点スイッチの取付位置は、かごの最高速度に応じて決定される。このため、行き過ぎ防止位置や減速開始位置等に対応するように終点スイッチの取付位置の設定や調整を行うために、終点スイッチは、昇降路の上下方向に移動可能となっている。
【先行技術文献】
【特許文献】
【０００３】
【特許文献１】特開２００６−１９３２９１号公報
【発明の概要】
【発明が解決しようとする課題】
【０００４】
上記のような従来装置では、終点スイッチの上下移動範囲は、スイッチケース内に設けられたリング状封止部材のサイズや、リング状封止部材をスイッチケースに保持するための押え金具のサイズによって決まる。また、複数の終点スイッチを上下方向に並べてスイッチケースに取り付ける場合には、複数の終点スイッチのそれぞれの押え金具同士が干渉しないように上下方向で間隔を空けて配置されていた。従って、従来装置では、スイッチの移動可能範囲が、リング状封止部材や押え金具によって制限されていた。
【０００５】
また、終点スイッチの移動可能範囲を大きくした場合には、移動可能範囲の上限に対応するように、終点スイッチに接続されたケーブルを長くする必要がある。このため、終点スイッチに接続されたケーブルが長くなり、そのケーブルを収容するために、スイッチケースのサイズを大きくする必要があった。
【０００６】
また、ケーブルがスイッチケースの外側に余分に出ている場合には、ケーブルの噛み込みによる断線や地絡等が生じる可能性がある。他方、ケーブルが短すぎる場合には、そのケーブルによって終点スイッチの上下移動範囲が制限されてしまう。これらのような不都合を回避するためには、設置環境に対応させて、ケーブルを予め複数種類用意する必要があり、部品の種類が増大していた。
【０００７】
この発明は、上記のような課題を解決するためになされたものであり、ケーブルや押え金具によるスイッチの上下移動範囲の制限をなくすことができ、スイッチの取付位置の設定や調整を容易かつ広範囲に行うことができるエレベータの位置検出装置を得ることを目的とする。
【課題を解決するための手段】
【０００８】
この発明のエレベータの位置検出装置は、昇降体の昇降方向に沿って昇降路に配置され、前記昇降体の昇降方向に沿って摺動案内部が設けられたスイッチ取付部材と、前記昇降体の昇降方向に沿って前記スイッチ取付部材に設けられ、かつ前記摺動案内部に対して平行になるように配置され外部機器に電気的に接続された一対の導電部材と、前記スイッチ取付部材の前記摺動案内部に摺動可能に取り付けられ、前記昇降体によって操作されるスイッチと、前記スイッチに設けられ、前記スイッチの摺動に伴って、前記一対の導電部材のそれぞれと接した状態で前記一対の導電部材のそれぞれに沿って摺動可能であり、前記スイッチと前記一対の導電部材とを電気的に接続する一対の電極部材とを備えるものである。
【発明の効果】
【０００９】
この発明のエレベータの位置検出装置によれば、一対の電極部材が、一対の導電部材のそれぞれと接した状態で一対の導電部材のそれぞれに沿って摺動可能であり、スイッチと一対の導電部材とを電気的に接続するので、ケーブルによるスイッチの上下移動範囲の制限をなくすことができ、スイッチの取付位置の設定や調整を容易かつ広範囲に行うことができる。
【図面の簡単な説明】
【００１０】
【図１】この発明の実施の形態１によるエレベータの位置検出装置を示す構成図である。
【図２】図１の位置検出装置を分解して示す分解斜視図である。
【図３】図１のＩＩＩ−ＩＩＩ線に沿う断面図である。
【図４】図１のＩＶ−ＩＶ線に沿う断面図である。
【図５】図１の終点スイッチを模式的に示す構成図である。
【図６】図１の終点スイッチの電気的構成を説明するための説明図である。
【図７】図１の終点スイッチの電気的構成を説明するための説明図である。
【発明を実施するための形態】
【００１１】
以下、この発明を実施するための形態について、図面を参照して説明する。
実施の形態１．
図１は、この発明の実施の形態１によるエレベータの位置検出装置を示す構成図である。図２は、図１の位置検出装置１を分解して示す分解斜視図である。図３は、図１のＩＩＩ−ＩＩＩ線に沿う断面図である。図４は、図１のＩＶ−ＩＶ線に沿う断面図である。
図１〜４において、建物の昇降路の上端部及び下端部には、それぞれ位置検出装置（終点スイッチ装置）１が設けられている。位置検出装置１は、スイッチ取付部材２、複数のスイッチ３Ａ，３Ｂ、複数のボルト４Ａ，４Ｂ、複数の絶縁部材５Ｗ〜５Ｚ、複数の導電部材６Ｗ〜６Ｚ、電極部材としての複数の電極ピン７Ｗ〜７Ｚ、スイッチ側コネクタ８、及び複数のプラグ９Ｗ〜９Ｚを有している。
【００１２】
スイッチ取付部材２は、例えばＬ字アングル等の縦長の部材である。また、スイッチ取付部材２は、昇降路の上端部又は下端部に、長手方向を上下にして配置されている。即ち、スイッチ取付部材２は、かご５０（昇降体）の昇降方向に沿って配置されている。
【００１３】
さらに、スイッチ取付部材２は、かご１０の昇降領域側へ向けられたＬ字第１面部２ａと、Ｌ字第１面部２ａの向きに対して直交する方向へ向けられたＬ字第２面部２ｂとを有している。Ｌ字第１面部２ａには、孔の長手方向を上下とした長孔２ｃが設けられている。長孔２ｃは、摺動案内部をなしている。Ｌ字第２面部２ｂは、腕部材（図示せず）を介してかご５０のガイドレール（図示せず）に固定されている。
【００１４】
スイッチ３Ａ，３Ｂ（以下、総称として「スイッチ３」ともいう）は、それぞれ長孔２ｃに挿通された軸部材としてのボルト４Ａ，４Ｂによって、スイッチ取付部材２に取り付けられている。また、スイッチ３Ａ，３Ｂは、上下方向に並べて配置されている。ここで、スイッチ３Ａ，３Ｂは、それぞれボルト４Ａ，４Ｂを摺動軸として、長孔２ｃの縁に沿って摺動可能である。つまり、スイッチ３Ａ，３Ｂは、上下方向に移動可能にスイッチ取付部材２に取り付けられている。
【００１５】
絶縁部材５Ｗ〜５Ｚは、スイッチ取付部材２のＬ字第１面部２ａに設けられ、スイッチ３Ａ，３Ｂへ向けて突出している。また、絶縁部材５Ｗ〜５Ｚは、長孔２ｃに対して平行になるように、上下方向に沿って直線状に配置されている。さらに、絶縁部材５Ｗ〜５Ｚは、それぞれ水平方向に間隔をおいて配置されている。
【００１６】
導電部材６Ｗ〜６Ｚは、それぞれ絶縁部材５Ｗ〜５Ｚの先端部（スイッチ３Ａ，３Ｂ側の端部）に設けられている。また、導電部材６Ｗ〜６Ｚは、絶縁部材５Ｗ〜５Ｚと同様に、上下方向に沿って直線状に配置されている。導電部材６Ｗ，６Ｚは、それぞれ一対（一組）の導電部材（電極対）をなしている。導電部材６Ｘ，６Ｙも、一対の導電部材をなしている。即ち、導電部材６Ｗ，６Ｚと導電部材６Ｘ，６Ｙとは、全体として二組の導電部材である。
【００１７】
ここで、スイッチ３Ａは、電極ピン７Ｘ，７Ｙを介して、導電部材６Ｘ，６Ｙに電気的に接続されている。スイッチ３Ｂは、電極ピン７Ｗ，７Ｚを介して、導電部材６Ｗ，６Ｚに電気的に接続されている。スイッチ側コネクタ８は、スイッチ取付部材２の下端部に取り付けられている。
【００１８】
導電部材６Ｗ〜６Ｚとスイッチ側コネクタ８の内部配線とは電気的に接続されている。また、スイッチ側コネクタ８は、ケーブル側コネクタ１０と嵌合している。ケーブル側コネクタ１０の内部配線は、ケーブル１１を介して、例えば制御盤等の外部機器（図示せず）に電気的に接続されている。従って、スイッチ３Ａ，３Ｂは、電極ピン７Ｗ〜７Ｚ、導電部材６Ｗ〜６Ｚ、プラグ９Ｗ〜９Ｚ、スイッチ側コネクタ８、ケーブル側コネクタ１０及びケーブル１１を介して、外部機器に電気的に接続されている。
【００１９】
ここで、絶縁部材５Ｗ〜５Ｚ及び導電部材６Ｗ〜６Ｚのそれぞれの下端部には、プラグ挿入スペースが空けられて、上端部側と下端部側とで分断されている。プラグ９Ｗ〜９Ｚは、絶縁部材５Ｗ〜５Ｚ及び導電部材６Ｗ〜６Ｚのプラグ挿入スペースに着脱可能となっている。直線状のプラグ９Ｗ〜９Ｚがプラグ挿入スペースに挿入されることにより、導電部材６Ｗ〜６Ｚの上端部側とスイッチ側コネクタ８とが電気的に接続される。
【００２０】
次に、スイッチ３の構成について説明する。図５は、図１のスイッチ３を模式的に示す構成図である。スイッチ３は、例えば常開型のスイッチである。また、スイッチ３は、ケース２０、レバー２１及びローラ２２を有している。レバー２１の基端部は、ケース２０の側面に回動可能に取り付けられている。
【００２１】
ローラ２２は、レバー２１の先端部に回転自在に取り付けられている。また、ローラ２２は、かご５０が接近した際に、かご５０に取り付けられたカム５１の外面と接し、かご５０の昇降に伴って回転される。また、レバー２１には、可動接点２３ａが機械的に接続されており、可動接点２３ａは、レバー２１の回動に伴って変位される。
【００２２】
レバー２１が押圧されることにより、可動接点２３ａが固定接点２３ｂと電気的に接続され、スイッチ３が閉状態となる。また、レバー２１の押圧が解除されることにより、可動接点２３ａと固定接点２３ｂとの電気的接続が解除され、スイッチ３が開状態となる。
【００２３】
ここで、ケース２０の背面部（スイッチ取付部材２と対向する部分）には、ボルト４Ａ又は４Ｂを挿入するためのボルト挿入孔（ねじ孔）２０ａと、電極ピン７Ｗ〜７Ｚを挿入するための電極ピン挿入孔２０ｗ〜２０ｚとが設けられている。また、スイッチ３の内部における電極ピン挿入孔２０ｗ〜２０ｚに対応する位置には、電極ピン７Ｗ〜７Ｚと電気的に接続するための電極ピン用接点２３ｗ〜２３ｚが設けられている。電極ピン用接点２３ｗ，２３ｘは、固定接点２３ｂに電気的に接続されている。電極ピン用接点２３ｙ，２３ｚは、可動接点２３ａに電気的に接続されている。
【００２４】
電極ピン挿入孔２０ｗ〜２０ｚに電極ピン７Ｗ〜７Ｚがそれぞれ挿入されると、これらの電極ピン７Ｗ〜７Ｚと電極ピン用接点２３ｗ〜２３ｚとがそれぞれ電気的に接続される。なお、電極ピン７Ｗ〜７Ｚの側面あるいは電極ピン挿入孔２０ｗ〜２０ｚの周縁部には、絶縁コーティングが施されており、電極ピン７Ｗ〜７Ｚとケース２０とは互いに電気的に絶縁されている。
【００２５】
ここで、プラグ９Ｗ〜９Ｚは、別の異なる形状のプラグ９Ｕと交換可能である。まず、正面視直線状のプラグ９Ｗ，９Ｘを用いた場合には、図６に示すように、スイッチ３Ａとスイッチ３Ｂとは、互いに独立した回路構成となる。
【００２６】
他方、プラグ９Ｗ，９Ｘを正面視Ｌ字状のプラグ（短絡手段）９Ｕに交換した場合には、図７に示すように、プラグ９Ｕは、スイッチ３Ａの入力側及び出力側のいずれか一方における互いに異なる組に属する導電部材６Ｗ，６Ｘ同士を短絡する。つまり、スイッチ３Ａとスイッチ３Ｂとは、互いに並列に接続された回路構成となる。このように、プラグの形状を変更することにより、回路構成を変更可能である。
【００２７】
次に、スイッチ３Ａの位置調整について説明する。ボルト４Ａが緩められた状態において、スイッチ３Ａがボルト４Ａを摺動軸として長孔２ｃの内周面に沿って上下方向に摺動され、スイッチ３Ａがかご５０の行き過ぎ防止位置や減速開始位置に対応するように配置される。このスイッチ３Ａの摺動に伴って、電極ピン７Ｗ，７Ｚのそれぞれは、導電部材６Ｗ，６Ｚのそれぞれと接触した状態で、導電部材６Ｗ，６Ｚのそれぞれに沿って摺動される。そして、ボルト４Ａが締め付けられ、スイッチ３Ａの位置が固定される。なお、スイッチ３Ｂの位置調整もスイッチ３Ａの場合と同様である。
【００２８】
上記のような実施の形態１のエレベータの位置検出装置によれば、電極ピン７Ｗ〜７Ｚが、導電部材６Ｗ〜６Ｚのそれぞれと接した状態で導電部材６Ｗ〜６Ｚのそれぞれに沿って摺動可能であり、スイッチ３Ａと導電部材６Ｗ，６Ｚとを電気的に接続し、スイッチ３Ｂと導電部材６Ｘ，６Ｙとを電気的に接続するので、ケーブルや押え金具によるスイッチ３Ａ，３Ｂの上下移動範囲の制限をなくすことができ、スイッチ３Ａ，３Ｂの取付位置の設定や調整を容易かつ広範囲に行うことができる。
【００２９】
また、従来装置のような押え金具を用いていないため、スイッチ３Ａ，３Ｂを隣接するように配置することも可能となり、スイッチ３Ａ，３Ｂの取付位置決定の自由度を向上させることができる。
【００３０】
さらに、プラグ９の形状を変更することにより、回路構成を変更可能である。これにより、異なる種類の回路構成を同一の構造の位置検出装置で実現可能となり、部品の種類をより削減することができる。
【００３１】
なお、実施の形態１では、エレベータの位置検出装置を終点スイッチとして用いた構成について説明したが、この発明のエレベータの位置検出装置は、昇降路における任意のかご位置やおもり位置を検出するために用いてもよく、例えばかごのドアゾーン検出に用いることもできる。
【００３２】
また、実施の形態１では、プラグ９Ｕ〜９Ｚを用いたが、これらのプラグ９Ｕ〜９Ｚに代えて、ジャンパー線を用いてもよい。このようにジャンパー線を用いることにより、構造の簡素化を図ることができる。
【００３３】
さらに、実施の形態１では、摺動案内部として長孔２ｃを用いたが、例えばスイッチ用のレール等を摺動案内部として用いてもよい。この場合、スイッチ用のレールに沿って摺動可能となるようにガイドシューをスイッチに取り付けて、締結によりスイッチ用のレールにスイッチを固定すればよい。
【００３４】
また、実施の形態１では、スイッチ３Ａ，３Ｂの２つのスイッチを用いたが、スイッチの数については、１つ又は３つ以上であってもよい。この場合、一対の導電部材６及び一対の電極ピン７を、それぞれスイッチの数と同数組設ければよい。
【符号の説明】
【００３５】
１  位置検出装置、２  スイッチ取付部材、２ｃ  長孔（摺動案内部）、３，３Ａ，３Ｂ  スイッチ、４Ａ，４Ｂ  ボルト、５Ｗ〜５Ｚ  絶縁部材、６Ｗ〜６Ｚ  導電部材、７Ｗ〜７Ｚ  電極ピン（電極部材）、８  スイッチ側コネクタ、９Ｗ〜９Ｚ  プラグ、９Ｕ  プラグ（短絡手段）、１０  ケーブル側コネクタ、１１  ケーブル、５０  かご（昇降体）。
【図１】
2012046288.tif 000003
【図２】
2012046288.tif 000004
【図３】
2012046288.tif 000005
【図４】
2012046288.tif 000006
【図５】
2012046288.tif 000007
【図６】
2012046288.tif 000008
【図７】
2012046288.tif 000009